(57)【特許請求の範囲】
【請求項１】
接触センサが配置されている画面を備えるとともに、第１の筐体と第２の筐体を備え、前記第１及び第２の筐体は、ヒンジを介して結合されて、前記ヒンジ軸回りに互いに回動する電子機器であって、
前記画面を合計３面備え、
２面の前記画面は第１の筐体の特定の表面に配置され、他の１面の前記画面は第２の筐体の特定の表面に配置され、
前記第１及び第２の筐体が互いに展開されるオープンスタイルと、前記第１の筐体の前記画面を備えない面と前記第２の筐体の前記画面を備える面が互いに対面するように、前記第１及び第２の筐体を折り重ねるビュースタイルを選択することができるとともに、
前記電子機器が前記オープンスタイルあるいは前記ビュースタイルのいずれにあるかを検出するスタイル検出手段と、
前記スタイル検出手段が検出したスタイルに基づいて、前記複数の画面の中から少なくとも１つの画面を主操作用画面として選択し、少なくとも他の１つの画面を主表示用画面として選択する画面選択手段と、
この画面選択手段によって主操作用画面として選択された画面に主として操作用の情報を表示させ、主表示用画面として選択された画面に主としてユーザに報知する情報を表示させる表示制御手段と、
前記画面選択手段によって主操作用画面として選択された画面への接触を当該画面に配置されている前記接触センサによって検出して、その接触操作に応じた処理を実行する操作制御手段と、
を具備したことを特徴とする電子機器。
【請求項２】
前記画面選択手段は、前記スタイル検出手段が、前記オープンスタイルを検出する場合、前記第２の筐体の画面を主操作用画面に選択し、前記ビュースタイルを検出する場合には、前記第１の筐体の２面の画面の一方の画面を主表示用画面に、他方の画面を主操作用画面にそれぞれ選択する、
ようにしたことを特徴とする請求項１に記載の電子機器。
【請求項３】
前記表示制御手段は、前記スタイル検出手段によって検出される前記電子機器のスタイルが前記オープンスタイルまたは前記ビュースタイルに変化した際に、主操作用画面に主として操作用の情報を表示させ、主表示用画面に主としてユーザに報知する情報を表示させる、
ようにしたことを特徴とする請求項１に記載の電子機器。
【請求項４】
前記表示制御手段は、表示向きの変更が指示された際に、主操作用画面及び主表示用画面の表示の向きを制御する、
ようにしたことを特徴とする請求項１に記載に電子機器。
【請求項５】
さらに、前記第１及び第２の筐体の前記画面を備える面が互いに対面するように、前記第１及び第２の筐体を折り重ねるクローズスタイルを取ることができる、
ようにしたことを特徴とする請求項１に記載の電子機器。
【請求項６】
接触センサが配置されている画面と、第１の筐体と第２の筐体を備え、前記第１及び第２の筐体はヒンジを介して結合されて、前記ヒンジ軸回りに互いに回動するとともに、前記画面を合計３面備え、２面の前記画面は第１の筐体の特定の表面に配置され、他の１面の前記画面は第２の筐体の特定の表面に配置され、前記第１及び第２の筐体が互いに展開されるオープンスタイルと、前記第１の筐体の前記画面を備えない面と前記第２の筐体の前記画面を備える面が互いに対面するように、前記第１及び第２の筐体を折り重ねるビュースタイルを選択することができ、前記オープンスタイルあるいは前記ビュースタイルのいずれにあるかを検出するスタイル検出手段を備える電子機器を制御するコンピュータであって、
前記コンピュータに、
前記スタイル検出手段が検出したスタイルに基づいて、前記複数の画面の中から少なくとも１つの画面を主操作用画面として選択し、少なくとも他の１つの画面を主表示用画面として選択する機能と、
主操作用画面として選択された画面に主として操作用の情報を表示させ、主表示用画面として選択された画面に主としてユーザに報知する情報を表示させる機能と、
主操作用画面として選択された画面への接触を当該画面に配置されている前記接触センタによって検出して、その接触操作に応じた処理を実行する機能と、
を実現させるためのプログラム。
【請求項７】
さらに、前記オープンスタイルが検出された場合、前記第２の筐体の画面を主操作用画面に選択し、前記ビュースタイルが検出された場合、前記第１の筐体の２面の画面の一方の画面を主表示用画面に、他方の画面を主操作用画面にそれぞれ選択する機能を実現させる、
ようにしたことを特徴とする請求項６に記載のプログラム。
【請求項８】
さらに、前記第１及び第２の筐体の前記画面を備える面が互いに対面するように、前記第１及び第２の筐体を折り重ねるクローズスタイルを検出する機能を実現させる、
ようにしたことを特徴とする請求項６に記載のプログラム。
【発明の詳細な説明】
【技術分野】
【０００１】
この発明は、接触センサが配置されている複数の画面を有する電子機器及びプログラムに関する。
【背景技術】
【０００２】
近年、押しボタン式のキーボードに代わりに、透明タッチセンサを表示パネルに積層配置して各キー部分にその機能名を表示するようにしたタッチスクリーン（タッチパネル表示部）を使用した電子機器が普及している。例えば、従来では、複数の画面のうち、そのいくつかがタッチ操作可能な操作部（タッチパネル表示部）となっている携帯電話などの電子機器が提案されている（特許文献１参照）。
【特許文献１】特開２００６−２７９３６１号公報
【発明の開示】
【発明が解決しようとする課題】
【０００３】
ところで、上述した先行技術のような電子機器にあっては、ユーザが使用するときに、いつもその機器を正しい向きに持つとは限らず、間違った向きに持ってしまうことがある。例えば、このような電子機器が折り畳み型の携帯電話の場合に、その表示部側の筐体と操作部側の筐体とが重なり合っているクローズ状態からそれらを開いてオープン状態に変えたときに、表示部側の筐体と操作部側の筐体との上下関係が逆向きになってしまうことがある。この場合、携帯電話を手に持ったときに、操作部側の筐体が下側となり、表示部側の筐体が上側となることが正しいが、それとは逆に操作部側の筐体が上側となり、表示部側の筐体が下側になってしまうと、表示は見難く、操作もし難いので、正しい向きに持ち直してから使用しなければならなかった。
このことは、折り畳み型の携帯電話に限らず、表示部と操作部とを備えた電子機器全般についても同様であり、表示部と操作部との位置関係を本来の状態に直してから使用するようにしていた。
【０００４】
この発明の課題は、表示を主体とする部分と操作を主体とする部分とに固定化しておかず、それらを切り替えて使用できるようにすることである。
【課題を解決するための手段】
【０００５】
請求項１に記載の発明は、接触センサが配置されている画面を備えるとともに、第１の筐体と第２の筐体を備え、前記第１及び第２の筐体は、ヒンジを介して結合されて、前記ヒンジ軸回りに互いに回動する電子機器であって、前記画面を合計３面備え、２面の前記画面は第１の筐体の特定の表面に配置され、他の１面の前記画面は第２の筐体の特定の表面に配置され、前記第１及び第２の筐体が互いに展開されるオープンスタイルと、前記第１の筐体の前記画面を備えない面と前記第２の筐体の前記画面を備える面が互いに対面するように、前記第１及び第２の筐体を折り重ねるビュースタイルを選択することができるとともに、前記電子機器が前記オープンスタイルあるいは前記ビュースタイルのいずれにあるかを検出するスタイル検出手段と、前記スタイル検出手段が検出したスタイルに基づいて、前記複数の画面の中から少なくとも１つの画面を主操作用画面として選択し、少なくとも他の１つの画面を主表示用画面として選択する画面選択手段と、この画面選択手段によって主操作用画面として選択された画面に主として操作用の情報を表示させ、主表示用画面として選択された画面に主としてユーザに報知する情報を表示させる表示制御手段と、前記画面選択手段によって主操作用画面として選択された画面への接触を当該画面に配置されている前記接触センサによって検出して、その接触操作に応じた処理を実行する操作制御手段とを具備したことを特徴とする。
更に、コンピュータに対して、上述した請求項１に記載の発明に示した主要機能を実現させるためのプログラムを提供する（請求項６に記載の発明）。
【０００６】
なお、上述した請求項１に記載の発明は次のようなものであってもよい。
前記画面選択手段は、前記スタイル検出手段が、前記オープンスタイルを検出する場合、前記第２の筐体の画面を主操作用画面に選択し、前記ビュースタイルを検出する場合には、前記第１の筐体の２つの画面の一方の画面を主表示用画面に、他方の画面を主操作用画面にそれぞれ選択する（請求項２に記載の発明）。
【０００７】
前記表示制御手段は、前記スタイル検出手段によって検出される前記電子機器のスタイルが前記オープンスタイルまたは前記ビュースタイルに変化した際に、主操作用画面に主として操作用の情報を表示させ、主表示用画面に主としてユーザに報知する情報を表示させる（請求項３に記載の発明）。
【０００８】
前記表示制御手段は、表示向きの変更が指示された際に、主操作用画面及び主表示用画面の表示の向きを制御する（請求項４に記載の発明）。
【０００９】
さらに、前記第１及び第２の筐体の前記画面を備える面が互いに対面するように、前記第１及び第２の筐体を折り重ねるクローズスタイルを取ることができる（請求項５に記載の発明）。
【００１１】
請求項６に記載の発明において、さらに、前記オープンスタイルが検出された場合、前記第２の筐体の画面を主操作用画面に選択し、前記ビュースタイルが検出された場合、前記第１の筐体の２つの画面の一方の画面を主表示用画面に、他方の画面を主操作用画面にそれぞれ選択する機能を実現させることができる（請求項７に記載の発明）。
【００１２】
請求項６に記載の発明において、さらに、前記第１及び第２の筐体の前記画面を備える面が互いに対面するように、前記第１及び第２の筐体を折り重ねるクローズスタイルを検出する機能を実現させることができる（請求項８に記載の発明）。
【発明の効果】
【００１６】
この発明は、表示を主体とする部分と操作を主体とする部分とに固定化しておかず、それらを切り替えて使用することができ、使い勝手が良くなって自由度を増すことが可能となる。
【発明を実施するための最良の形態】
【００１７】
（実施例１）
以下、図１〜図１２を参照して本発明の第１実施例を説明する。
この実施例は、電子機器として適用した携帯電話装置における通信ネットワークシステムを示したブロック図である。
携帯電話装置１は、最寄りの基地局２、交換機３から無線通信網（公衆移動体通信網）４に接続されているほか、この無線通信網４を介してインターネット５に接続されている。携帯電話装置１は、通話機能、電子メール機能、インターネット接続機能（Ｗｅｂアクセス機能）が備えられている。
【００１８】
図２は、携帯電話装置１の概略外観図である。
携帯電話装置１は、装置本体を構成する２つの筐体１Ａ、１Ｂをヒンジ部１Ｃを介して１８０度開閉可能に連結することで当該装置本体を折り畳み可能としたもので、筐体１Ａ、１Ｂを閉じたクローズスタイルと筐体１Ａ、１Ｂを開いたオープンスタイルに変更可能となっている。この筐体１Ａ、１Ｂの内面側（クローズスタイルで互いに対面する側）には、略同形同大の画面Ａ、Ｂが配置されている。すなわち、筐体１Ａの略全域には長方形の画面Ａが配置され、また、筐体１Ｂの略全域には長方形の画面Ｂが配置されている。この画面Ａ、Ｂは、図示した部分拡大断面図のように、高精細液晶あるいは有機ＥＬを使用した表示パネルＤであり、その上面には操作用の接触センサ（透明タッチセンサ）Ｔが積層配置されている。
【００１９】
このように２つの筐体１Ａ、１Ｂの内面側には、表示パネルＤと透明タッチセンサＴとによって構成されたタッチスクリーン（タッチパネル表示部）がそれぞれ配置されており、このタッチスクリーンを構成する各画面Ａ、Ｂのうち、その１つの画面を主操作用画面として選択し、他の１つの画面を主表示用画面として選択するようにしている。言い換えれば、画面Ａを表示用画面とし、画面Ｂを操作用画面として固定化せず、画面Ａ、Ｂのいずれかを主操作用画面としたり、主表示用画面としたりすることができるように、それらの切り替えを可能としたもので、装置本体の姿勢（画面Ａ、Ｂのどちらが上側に位置しているかなど）に応じてその表示切り替えを制御するようにしている。
【００２０】
なお、図示の例では、画面Ａが縦方向の上側に位置している場合であり、このように上側の画面Ａを主表示用画面として選択し、下側の画面Ｂを主操作用画面として選択するようにしている。この主表示用画面は、主としてユーザに報知する情報、例えば、待受画像、アドレス帳データ、メールデータなどの表示用情報が表示される画面であり、主操作用画面は、主としてタッチスクリーン用の操作用情報（キー名やキーの位置情報）などが表示される画面であるが、主表示用画面の一部を簡易操作部（例えば、スクロール用のタッチキー）としてもよく、また、主操作用画面の一部を簡易表示部（例えば、１行メッセージ用の表示部）としてもよい。そして、画面Ａ、Ｂ上の操作部（タッチキー）がタッチされた場合には、そのタッチ位置に対応するキーが操作されたものとしてキー入力信号が出力される。なお、この操作部以外の領域にも透明タッチセンサＴが配置されており、この操作部以外の領域がタッチされた際には、タッチされた画面を主操作用画面として選択する表示切り替えを行うようにしている。また、タッチ操作としては、人体（指）による接触操作に限らず、タッチペンを使用した接触操作であってもよい。
【００２１】
また、筐体１Ａの内面側において画面Ａの外側近傍（筐体１Ａの先端付近）には、通話用のマイクＭＡ及びスピーカＳＡがそれぞれ配設され、また、筐体１Ｂの内面側において画面Ｂの外側近傍（筐体１Ｂの先端付近）には、通話用マイクＭＢ及びスピーカＳＢがそれぞれ配設されている。すなわち、筐体１Ａ、１Ｂを開いたオープンスタイルで通話する際に、装置本体の姿勢（画面Ａ、Ｂのどちらが上に位置しているかなど）に拘わらず、通話を可能とするために、画面Ａ、Ｂに対応する位置には、それぞれ対応する通話用マイクＭＡ、ＭＢ、通話用スピーカＳＡ、ＳＢが１台ずつ配置されている。
【００２２】
図３及び図４は、装置本体の姿勢に応じて画面Ａ、Ｂのいずれが主操作用画面となり、他の画面が主表示用画面となる場合を説明するための図である。
図３は、装置本体を開いたオープンスタイルにおいて画面Ａ、Ｂが縦方向（上下方向）に配列されている場合を示し、図４は、装置本体を開いたオープンスタイルにおいて画面Ａ、Ｂが横方向（左右方向）に配列されている場合を示している。すなわち、この第１実施例では、画面Ａ、Ｂが縦方向に並んだ状態で使用する場合に限らず、それらが横方向に並んだ状態でも使用可能となっており、各画面は図３の場合には、縦長画面となり、図４の場合には、横長画面となる。
【００２３】
そして、図３（１）に示すように、画面Ａ、Ｂが縦方向に並んでいる状態において、画面Ａが上側に位置している場合には、画面Ａが主表示用画面となり、画面Ｂが主操作用画面となる。この状態において縦方向の上下を逆にすると、図３（２）に示すように、画面Ｂが上側に位置するために画面Ｂが主表示用画面となり、画面Ａが主操作用画面となる。ここで、図３（１）の場合において、画面Ａ、Ｂの図中左上隅部“ＡＳ１”、“ＢＳ１”を表示データの書き始め位置とすると、図３（２）の場合には、この“ＢＳ１”の対角である“ＢＳ２”が画面Ｂの書き始め位置となり、また、“ＡＳ１”の対角である“ＡＳ２”が画面Ａの書き始め位置となる。
【００２４】
また、図４（１）に示すように、画面Ａ、Ｂが横方向（左右方向）に並んでいる状態において、画面Ａが左側に位置している場合には、画面Ａが主表示用画面となり、画面Ｂが主操作用画面となる。この状態において横方向の左右を逆にすると、図４（２）に示すように、画面Ａが右側に位置するために画面Ａが主操作用画面となり、画面Ｂが主表示用画面となる。ここで、図４（１）の場合において、画面Ａ、Ｂの図中左上隅部“ＡＳ３”、“ＢＳ３”を表示データの書き始め位置とすると、図４（２）の場合には、この“ＢＳ３”の対角である“ＢＳ４”が画面Ｂの書き始め位置となり、また、“ＡＳ３”の対角である“ＡＳ４”が画面Ａの書き始め位置となる。
【００２５】
また、タッチスクリーン用の操作用情報（キー名やキーの位置情報）に基づいて主操作用画面内に各タッチキーを割り当て配置した場合に、図３に示すように画面Ａ、Ｂが縦方向に並ぶ場合と、図４に示すように画面Ａ、Ｂが横方向に並ぶ場合では、画面の縦横の向きが異なるために、各キーの配列状態もそれに応じて異なる。すなわち、図３の例は、横４×縦５の各キーがマトリックス状に配置され、その下側にキートップの大きい３個のキーが配置された場合を示している。また、図４の例は、横６×縦３の各キーがマトリックス状に配置され、その下側にキートップの大きい４個のキーが配置された場合を示している。
【００２６】
図５は、携帯電話装置１の基本的な構成要素を示したブロック図である。
ＣＰＵ１１は、ＲＯＭ１２内の各種のプログラムに応じてこの携帯電話装置の全体動作を制御する。ＲＯＭ１２のプログラム領域には、後述する図８〜図１２に示す動作手順に応じて本実施例を実現するためのプログラムが格納されており、また、ＲＯＭ１２のデータ領域には、出荷初期時の待受画像などの表示用情報が記憶されていると共に、タッチスクリーン用の操作用情報（キー名やキーの位置情報）などが記憶されている。ＲＡＭ１３は、例えば、ワーク領域を有する内部メモリで、表示用情報記憶部Ｍ１のほか、後述する表示制御設定情報記憶部Ｍ２、タッチによる表示制御設定情報記憶部Ｍ３などが設けられている。なお、表示用情報記憶部Ｍ１は、外部から受信したり、操作によって入力されたりすることで取得した待受画像や各種機能に関するデータ（例えば、アドレス帳データ、メールデータ、画像データ）などを表示用情報として記憶する。
【００２７】
無線通信部１４は、アンテナに接続された送受信部（ベースバンド部）の受信側から信号を取り込んで受信ベースバンド信号に復調したのち、音声信号処理部１５を介して受話スピーカＳＡ、ＳＢのいずれから音声出力させる。また、無線通信送受信部１４は、送話マイクＭＡ、ＭＢのいずれから入力された音声データを音声信号処理部１５から取り込み、送信ベースバンド信号に符号化したのちに送受信部の送信側に与えられてアンテナから送信出力させる。一方、電子メール機能、インターネット接続機能によって無線通信部１４を介して受信取得した表示データは、表示・操作制御部１６を介して２つの画面Ａ、Ｂのいずれかに与えられて表示される。
【００２８】
表示・操作制御部１６は、ＣＰＵ１１の制御の下に画面Ａ、Ｂのいずれかを主操作用画面として選択し、他の画面を主表示用画面として選択してそれらの画面に応じた表示制御を行うもので、主操作用画面として選択された画面に対しては、操作用のキー表示情報（キー名称やキーの位置情報）を表示させるほか、この主操作用画面への接触操作がその透明タッチセンサＴによって検出された際には、その接触操作信号をＣＰＵ１１に与える。なお、主操作用画面は、ダイヤル入力、文字入力、コマンド入力などを行うもので、ＣＰＵ１１は、表示・操作制御部１６からの接触操作に応じた処理を実行する。また、表示・操作制御部１６は、主表示用画面として選択された画面に、ユーザに報知する情報（例えば、待受画像、アドレス帳データ、メールデータなど）を表示させる。
【００２９】
ＲＴＣ（リアルタイムクロックモジュール）１７は、時計部を構成するもので、ＣＰＵ１１は、ＲＴＣ１７から現在日時を取得する。スタイル検出部１８は、折り畳み型の装置本体を構成する２つの筐体１Ａ、１Ｂの位置関係に応じて変化する各スタイルを検出可能なもので、磁気センサあるいはマイクロスイッチなどによって構成され、筐体１Ａ、１Ｂを閉じているクローズスタイルと、筐体１Ａ、１Ｂを開いているオープンスタイルを検出するもので、ＣＰＵ１１は、このスタイル検出部１８からの検出信号に基づいて現在のスタイルを判別する。
【００３０】
姿勢検出部１９は、例えば、回転角速度を検出するジャイロセンサを有する構成で、装置本体の姿勢、つまり、図３に示すように画面Ａ、Ｂが縦方向（上下方向）に配列されている状態では、画面Ａ、Ｂのどちらが上側に位置しているか、あるいは図４に示すように画面Ａ、Ｂが横方向（左右方向）に配列されている状態では、画面Ａ、Ｂのどちらが左側に位置しているかを検出するもので、ＣＰＵ１１は、この姿勢検出部１９からの検出信号に基づいて現在の姿勢を判別する。
【００３１】
図６は、表示制御設定情報記憶部Ｍ２を説明するための図である。
画面Ａ、Ｂのいずれかを主操作用画面、他の画面を主表示用画面として表示制御する場合において、表示制御設定情報記憶部Ｍ２は、その表示制御用の設定情報を記憶するもので、「種別」、「設定フラグ」、「設定内容」の各項目を有する構成となっている。「種別」は、姿勢検出部１９の検出結果に応じて自動制御するか、ユーザ操作に応じて設定された情報に基づいて手動制御するかを示すもので、“手動制御（ユーザ設定）”あるいは“自動制御”が記憶される項目である。
【００３２】
「設定フラグ」は、“手動制御”を有効とするか“自動制御”を有効とするかを示すフラグが記憶される項目で、その値が“０”のときには無効、“１”のときには有効を示している。「設定内容」は、「スタイル」、「主表示用画面」、「主操作用画面」の項目に分かれており、現在の「スタイル」に応じて「主表示用画面」、「主操作用画面」をどの画面とするかなどを示す情報が記憶される項目である。なお、「設定フラグ」、「設定内容」の内容は、ユーザ操作によって任意に設定されたものである。
【００３３】
また、“ユーザ設定”の場合に、図３（１）、（２）のうち、その「設定内容」に基づいてユーザが一義的に決めた姿勢で装置本体を使用するようにしている。つまり、画面Ａが主表示用画面として設定されている場合には、図３（１）の状態で使用し、画面Ｂが主表示用画面として設定されている場合には、図３（２）の状態で使用するようにしている。なお、画面Ａが主表示用画面として設定されている場合には、図４（１）の状態で使用し、画面Ｂが主表示用画面として設定されている場合には、図４（２）の状態で使用するようにしてもよい。
【００３４】
図７は、タッチによる表示制御設定情報記憶部Ｍ３を説明するための図である。
この表示制御設定情報記憶部Ｍ３は、上述したように画面Ａ、Ｂ上の操作部（タッチキー）以外の領域がタッチされた際に、タッチされた画面を主操作用画面へ切り替える表示制御を実行するか否かを示す設定情報を記憶するもので、「種別」、「設定フラグ」を有する構成となっている。「種別」は、“タッチによる表示制御を行う”、“タッチによる表示制御を行わない”を示す種類が記憶される項目である。「設定フラグ」は、タッチによる表示制御を実行するか否かを示すフラグが記憶される項目で、その値が“０”のときには無効、“１”のときには有効を示している。なお、「設定フラグ」の内容は、ユーザ操作によって任意に設定されたものである。
【００３５】
次に、この第１実施例における携帯電話装置１の動作概念を図８〜図１２に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３６】
図８は、電源投入に伴って実行開始される携帯電話装置１の全体動作の概要を示したフローチャートである。
先ず、ＣＰＵ１１は、電源を投入する電源オン操作が行われると（ステップＡ１でＹＥＳ）、無線通信部１４を作動させるほか、所定の待受画像を読み出して表示させる待受処理を行う（ステップＡ２）。この待受状態においてＣＰＵ１１は、表示制御設定情報記憶部Ｍ２、Ｍ３に対する設定操作の有無をチェックし（ステップＡ３）、その設定操作が行われると、表示制御設定情報記憶部Ｍ２、Ｍ３に対する設定処理に移る（ステップＡ４）。この設定処理では、ユーザ操作に応じて表示制御設定情報記憶部Ｍ２の「設定フラグ」、「設定内容」に任意の内容を設定することができ、また、タッチによる表示制御設定情報記憶部Ｍ３の「設定フラグ」に任意の内容を設定することができる。
【００３７】
また、待受状態においてＣＰＵ１１は、スタイル検出部１８からの検出信号に基づいてオープンスタイルからクローズスタイルに変更されたかを判別し（ステップＡ５）、クローズスタイルへの変更が検出された際には、表示制御設定情報記憶部Ｍ２の内容に基づいてクローズ処理を実行する（ステップＡ６）。ここで、表示制御設定情報記憶部Ｍ２には“ユーザ設定”か“自動制御”かに拘わらず、クローズスタイルの“主操作用画面”、“主表示用画面”に対応して、それぞれ“表示消去”が設定されているので、画面Ａ、Ｂの内容を全て消去する処理を行う。
【００３８】
このようにオープンスタイルからクローズスタイルへの変更のほか、ＣＰＵ１１は、待受状態においてスタイル検出部１８からの検出信号に基づいてクローズスタイルからオープンスタイルに変更されたかを判別しており（ステップＡ７）、オープンスタイルへの変更が検出された際には、表示制御設定情報記憶部Ｍ２の内容に基づいてオープン処理を実行する（ステップＡ８）。
【００３９】
図９は、オープン処理（図８のステップＡ８）を詳述するためのフローチャートである。
先ず、ＣＰＵ１１は、表示制御設定情報記憶部Ｍ２を参照し、「設定フラグ」が“１”の「種別」を読み出して（ステップＢ１）、“自動制御”が選択されているか“ユーザ設定（手動制御）”が選択されているかを判別する（ステップＢ２）。いま、“ユーザ設定”が選択されている場合には（ステップＢ２でＮＯ）、表示制御設定情報記憶部Ｍ２の“ユーザ設定”、“オープンスタイル”に対応付けられている「設定内容」に従って主操作用画面を選択する（ステップＢ１０）。
【００４０】
なお、図６の例では、“ユーザ設定”、“オープンスタイル”に対応する「主操作用画面」の項目には“画面Ｂ”設定されているので、オープンスタイルでの主操作用画面として画面Ｂが選択される。そして、ＲＯＭ１２のデータ領域から操作用情報（キー名やキーの位置情報）を読み出し（ステップＢ１１）、この操作用情報を主操作用画面内に表示させることで当該画面内に各キーを割り当て配置させる（ステップＢ１２）。この場合、キーの配置位置情報に基づいて各キーを主操作用画面内に配置表示させると共に、キー毎にそのキー名を配置表示させる。
【００４１】
次に、“ユーザ設定”、“オープンスタイル”対応の「設定内容」に従って主表示用画面を選択する（ステップＢ１３）。なお、図６の例では、“ユーザ設定”、“オープンスタイル”に対応する「主表示用画面」の項目には“画面Ａ”設定されているので、オープンスタイルでの主表示用画面として画面Ａが選択される。そして、ＲＯＭ１２、ＲＡＭ１３又は外部から表示用情報（待受画像など）を取得し（ステップＢ１４）、この表示用情報を主表示用画面内に表示させる（ステップＢ１５）。なお、図示省略したが、主表示用画面の一部を簡易操作部（例えば、スクロール用のタッチキー）としている場合には、その操作用情報に基づいて当該キーを割り当て配置させ、また、主操作用画面の一部を簡易表示部（例えば、１行メッセージ用の表示部）としている場合には、その表示用情報を当該部分に表示させるようにしている（以下、同様）。
【００４２】
一方、表示制御設定情報記憶部Ｍ２の「設定フラグ」が“１”の「種別」として、“自動制御”が選択されている場合には（ステップＢ２でＹＥＳ）、姿勢検出部１９から検出信号を取り込み（ステップＢ３）、装置本体の姿勢に応じて下側あるいは右側に位置している画面を主操作用画面として選択する（ステップＢ４）。すなわち、図３に示すように画面Ａ、Ｂが縦方向に配列されている状態では、画面Ａ、Ｂのどちらが上側に位置しているか、あるいは図４に示すように画面Ａ、Ｂが横方向に配列されている状態では、画面Ａ、Ｂのどちらが右側に位置しているかを判別し、下側あるいは右側に位置している画面を主操作用画面として選択する。
【００４３】
そして、ＲＯＭ１２のデータ領域から操作用情報（キー名やキーの位置情報）を読み出し（ステップＢ５）、この操作用情報を主操作用画面内に表示させることで当該画面内に各キーを割り当て配置させる（ステップＢ６）。次に、上側あるいは左側に位置している画面を主表示用画面として選択したのち（ステップＢ７）、ＲＯＭ１２、ＲＡＭ１３又は外部から表示用情報（待受画像など）を取得し（ステップＢ８）、この表示用情報を主表示用画面内に表示させる（ステップＢ９）。なお、上述したように、主操作用画面内に各タッチキーを割り当て配置する際に、図３に示すように画面Ａ、Ｂが縦方向に並ぶ場合と、図４に示すように画面Ａ、Ｂが横方向に並ぶ場合では、画面の縦横の向きが異なるために各キーの配列状態もそれに応じて異なる（以下、同様）。
【００４４】
このようにして各画面Ａ、Ｂへの表示処理が終わると、ステップＢ１６に移り、操作用情報に応じて画面Ａ、Ｂ内に割り当てられた各タッチキーへの接触を有効とすると共に、通話用マイクＭＡ、ＭＢのうち、主操作用画面の近辺に位置しているマイクを有効とし、他のマイクを無効とする（ステップＢ１７）。これによって、例えば、主操作用画面が画面Ｂの場合には、図２に示すように、マイクＭＢが有効となり、マイクＭＡが無効となる。また、通話用スピーカＳＡ、ＳＢのうち、主表示用画面の近辺に位置しているスピーカを有効とし、他のスピーカを無効とする（ステップＢ１８）。これによって、例えば、主表示用画面が画面Ａの場合には、図２に示すように、スピーカＳＡが有効となり、スピーカＳＢが無効となる。
【００４５】
また、待受状態においてＣＰＵ１１は、姿勢検出部１９から検出信号を取り込んで姿勢が変化したかを調べ（図８のステップＡ９）、姿勢変化の検出に応じて姿勢変化処理の実行に移る（ステップＡ１０）。この姿勢変化処理は、オープンスタイルにおいて姿勢変化が検出された際に、“自動制御”に設定されていることを条件に現在の姿勢に応じて画面Ａ、Ｂの表示制御を行う処理である。
【００４６】
図１０は、姿勢変化処理（図８のステップＡ１０）を詳述するためのフローチャートである。
先ず、ＣＰＵ１１は、スタイル検出部１８からの検出信号を取り込んで現在のスタイルを判別し（ステップＣ１）、オープンスタイルであれば（ステップＣ２でＹＥＳ）、表示制御設定情報記憶部Ｍ２を参照し、「設定フラグ」が“１”の「種別」を読み出し（ステップＣ３）、“自動制御”か “ユーザ設定”かの判別を行う（ステップＣ４）。なお、クローズスタイルの場合（ステップＣ２でＮＯ）あるいは“ユーザ設定”が選択されている場合には（ステップＣ４でＮＯ）、このフローから抜けて姿勢変化処理の終了となる。
【００４７】
いま、オープンスタイルの場合に、“自動制御”が選択されていれば（ステップＣ４でＹＥＳ）、姿勢検出部１９から検出信号を取り込み（ステップＣ５）、装置本体の姿勢に応じて下側あるいは右側に位置している画面を主操作用画面として選択する（ステップＣ６）。そして、ＲＯＭ１２のデータ領域から操作用情報（キー名やキーの位置情報）を読み出し（ステップＣ７）、この操作用情報を主操作用画面内に表示させることで当該画面内に各キーを割り当て配置させる（ステップＣ８）。次に、上側あるいは左側に位置している画面を主操作用画面として選択したのち（ステップＣ９）、ＲＯＭ１２、ＲＡＭ１３又は外部から表示用情報（待受画像など）を取得し（ステップＣ１０）、この表示用情報を主表示用画面内に表示させる（ステップＣ１１）。
【００４８】
このようにして各画面Ａ、Ｂへの表示処理が終わると、ステップＣ１２に移り、操作用情報に応じて画面Ａ、Ｂ内に割り当てられた各タッチキーへの接触を有効とすると共に、通話用マイクＭＡ、ＭＢのうち、主操作用画面の近傍に位置しているマイクを有効とし、他のマイクを無効とする（ステップＣ１３）。また、通話用スピーカＳＡ、ＳＢのうち、主表示用画面の近傍に位置しているスピーカを有効とし、他のスピーカを無効とする（ステップＣ１４）。
【００４９】
また、待受状態においてＣＰＵ１１は、表示・操作制御部１６からの入力信号に基づいて画面Ａ、Ｂへのタッチ（接触操作）を検出すると（図８のステップＡ１１でＹＥＳ）、画面タッチ処理に移る（図８ステップＡ１２）。この画面タッチ処理は、画面Ａ、Ｂ上の操作部（タッチキー）が操作された際に、そのタッチキーに対応する処理を実行し、操作部以外の領域がタッチされた際に、タッチによる表示制御設定情報記憶部Ｍ３を参照して、タッチされた画面を主操作用画面へ切り替える処理である。
【００５０】
図１１は、画面タッチ処理（図８ステップＡ１２）を詳述するためのフローチャートである。
先ず、ＣＰＵ１１は、画面Ａ、Ｂ上の操作部がタッチされたのか、それ以外の領域がタッチされたのかを調べ（ステップＤ１）、操作部内のタッチであれば、そのタッチキーに対応するキー入力処理を実行する（ステップＤ２）。また、操作部以外の領域がタッチされた際には（ステップＤ１でＮＯ）、タッチによる表示制御設定情報記憶部Ｍ３を参照し、その「設定フラグ」が“１”の「種別」を読み出し（ステップＤ３）、“タッチによる表示制御をする”であるかを判別する（ステップＤ４）。
【００５１】
この結果、“タッチによる表示制御をしない”であれば（ステップＤ４でＮＯ）、このフローから抜けるが、“タッチによる表示制御をする”であれば（ステップＤ４でＹＥＳ）、主操作用画面にタッチされたのかを調べる（ステップＤ５）。いま、主操作用画面にタッチされた場合には（ステップＤ５でＹＥＳ）、このフローから抜けるが、タッチされた画面が主操作用画面でなければ（ステップＤ５でＮＯ）、タッチされた画面を主操作用画面として選択したのち（ステップＤ６）、操作用情報（キー名やキーの位置情報）を読み出し（ステップＤ７）、この操作用情報を主操作用画面内に表示させることで当該画面内に各キーを割り当て配置させる（ステップＤ８）。
【００５２】
次に、タッチされなかった画面を主表示用画面として選択したのち（ステップＤ９）、表示用情報（待受画像など）を取得し（ステップＤ１０）、この表示用情報を主表示用画面内に表示させる（ステップＤ１１）。そして、操作用情報に応じて画面Ａ、Ｂ内に割り当てられた各タッチキーへの接触を有効とする（ステップＤ１２）。そして、通話用マイクＭＡ、ＭＢのうち、主操作用画面の近傍に位置しているマイクを有効とし、他のマイクを無効とする（ステップＤ１３）。また、通話用スピーカＳＡ、ＳＢのうち、主表示用画面の近傍に位置しているスピーカを有効とし、他のスピーカを無効とする（ステップＤ１４）。
【００５３】
また、待受状態においてＣＰＵ１１は、発信操作が行われたことを検出した場合には（図８のステップＡ１３でＹＥＳ）、通話処理の実行に移る（ステップＡ１４）。また、着信を検出した場合にも（ステップＡ１５でＹＥＳ）、通話処理の実行に移る（ステップＡ１６）。この通話処理は、発信元と発信先と間の接続確立に応じて通話可能な状態にセットするほか、この通話中での姿勢変化に応じて表示制御を行う処理である。
【００５４】
図１２は、通話処理（図８のステップＡ１４、Ａ１６）を詳述するためのフローチャートである。
先ず、ＣＰＵ１１は、発信元と発信先と間の接続確立に応じて通話可能状態となるが（ステップＥ１）、その際、通話用スピーカＳＡ、ＳＢのうち現在有効なスピーカから音声を出力させると共に（ステップＥ２）、通話用マイクＭＡ、ＭＢのうち現在有効なマイクから音声を取り込む（ステップＥ３）。この通話中において姿勢検出部１９から検出信号を取り込んで姿勢が変化したかを調べ（ステップＥ４）、姿勢が変化しなければ、回線が遮断されて通話終了となるまで姿勢の有無を調べながら通話可能状態を継続する（ステップＥ４、Ｅ５）。
【００５５】
いま、通話中に姿勢変化が検出されると（ステップＥ４でＹＥＳ）、装置本体の姿勢に応じて下側あるいは右側に位置している画面を主操作用画面として選択する（ステップＥ６）。そして、操作用情報（キー名やキーの位置情報）を読み出し（ステップＥ７）、この操作用情報を主操作用画面内に表示させることで当該画面内に各キーを割り当て配置させる（ステップＥ８）。次に、上側あるいは左側に位置している画面を主操作用画面として選択したのち（ステップＥ９）、表示用情報（待受画像など）を取得し（ステップＥ１０）、この表示用情報を主表示用画面内に表示させる（ステップＥ１１）。
【００５６】
このようにして各画面Ａ、Ｂへの表示処理が終わると、操作用情報に応じて画面Ａ、Ｂ内に割り当てられた各タッチキーへの接触を有効とすると共に（ステップＥ１２）、通話用マイクＭＡ、ＭＢのうち、主操作用画面の近傍に位置しているマイクを有効とし、他のマイクを無効とする（ステップＥ１３）。また、通話用スピーカＳＡ、ＳＢのうち、主表示用画面の近傍に位置しているスピーカを有効とし、他のスピーカを無効とする（ステップＥ１４）。
【００５７】
なお、待受状態においてＣＰＵ１１は、電源オフ操作が行われた場合には（図８のステップＡ１７でＹＥＳ）、電源オフ処理に移るが（ステップＡ１８）、その他の操作が行われた場合には（ステップＡ１９でＹＥＳ）、この操作に対応した処理として、例えば、電子メールの送受信処理などを実行する（ステップＡ２０）。
【００５８】
以上のように、この第１実施例においてＣＰＵ１１は、透明タッチセンサＴが配置されている複数の画面Ａ、Ｂのいずれかを主操作用画面、他の画面を主表示用画面とする表示制御を行うようにしたので、表示を主体とする部分と操作を主体とする部分とに固定化して分けておかず、それらを切り替えて使用することができ、使い勝手が良くなって自由度を増すことが可能となる。
【００５９】
表示制御設定情報記憶部Ｍ２の“ユーザ設定”に対応する「設定内容」に基づいて主操作用画面と主表示用画面とを選択することができるので、ユーザが自らの好みに応じた選択が可能となり、見易く、操作し易くすることができる。
【００６０】
ＣＰＵ１１は、姿勢検出部１９によって検出された姿勢に基づいて複数の画面Ａ、Ｂのうちから主操作用画面と主表示用画面とを選択するようにしたので、主操作用画面と主表示用画面とは装置本体の姿勢に適した配列となり、画面Ａ、Ｂが縦方向に並んだ配列に限らず、横方向に並んだ配列でも使用可能となるほか、縦方向配列の上下を逆にしたり、横方向配列の左右を逆にしたりした場合でも使用可能となる。
【００６１】
この場合、装置本体の姿勢が変化した際に、主操作用画面に操作用の情報を表示させ、主表示用画面にユーザに報知する情報を表示させるための表示制御を行うようにしたので、適切なタイミングでの表示制御が可能となり、姿勢変化に応じて画面Ａ、Ｂを主操作用画面あるいは主表示用画面として使用することができる。
【００６２】
画面Ａ、Ｂ上の操作部（タッチキー）以外の領域にも透明タッチセンサＴが配置されており、この操作部以外の領域がタッチされた際に、タッチされた画面を主操作用画面として選択することができるので、簡易な操作でユーザが自らの好みに応じた選択が可能となり、見易く、操作し易くすることができる。
【００６３】
この場合、タッチ検出に応じて主操作用画面に操作用の情報を表示させ、主表示用画面にユーザに報知する情報を表示させるための表示制御を行うようにしたので、適切なタイミングでの表示制御が可能となる。
【００６４】
複数の画面Ａ、Ｂに対応して通話用スピーカＳＡ、ＳＢ、通話用マイクＭＡ、ＭＢを設け、画面Ａ、Ｂの中から主操作用画面と主表示用画面とを選択する画面選択に応じて音声の出力先／入力元となる通話用スピーカ／通話用マイクを選択するようにしたので、画面Ａ、Ｂが縦方向に並んだ配列に限らず、横方向に並んだ配列でも適切なスピーカ／マイクを使用できるほか、縦方向配列の上下を逆にしたり、横方向配列の左右を逆にしたりした場合でも適切なスピーカ／マイクを使用することができる。
【００６５】
なお、上述した第１実施例においては、姿勢検出部１９からの検出信号に基づいて装置本体の姿勢を判別し、現在の姿勢に応じて主操作用画面、他の画面を主表示用画面を選択するようにしたが、表示向きの変更が指示された際、例えば、画面の操作部以外の領域がタッチされた際に、各画面の表示の向きを制御するようにしてもよい。ここで、図１３は、ユーザ本人と相手とが携帯電話装置１を挟んで対面している場合に、（１）は本人が画面を見るために画面を本人に向けた状態、（２）は相手に画面を見せるために画面を相手に向けた状態を示している。
【００６６】
このように対面しながら相手に画面を見せる場合には、その表示内容を逆向きにすればよい。すなわち、図中、実線の矢印に示すように装置本体を１８０度回転させて表示の向きを逆向きに変えたときには、主操作用画面、主表示用画面との関係を変更したり、各画面の表示向きを変更したりする必要はないが、装置本体の姿勢を変えず、つまり、装置本体を動かさずに各画面の表示向きだけを変更する場合には、主操作用画面、主表示用画面との関係を変更したり、各画面の表示向きを変更すればよい。この場合、図中破線矢印に示すように、図１３（１）では画面Ａが主表示用画面、画面Ｂが主操作用画面となるが、図１３（２）では画面Ａが主操作用画面、画面Ｂが主表示用画面となり、更に、表示データを１８０度回転させることによって（１）、（２）では表示の向きが逆となっている。このように装置本体を動かすことなく、各画面の内容を相手に見せることができる。
【００６７】
また、上述した第１実施例においては、装置本体の姿勢に応じて下側あるいは右側に位置している画面を主操作用画面として選択し、他の画面を主表示用画面として選択するようにしたが、これとは逆に、下側あるいは右側に位置している画面を主表示用画面として選択し、他の画面を主操作用画面として選択するようにしてもよい。
（実施例２）
【００６８】
以下、この発明の第２実施例について図１４〜図１９を参照して説明する。
なお、上述した第１実施例においては、姿勢検出部１９からの検出信号に基づいて装置本体の姿勢を判別し、現在の姿勢に応じて主操作用画面、他の画面を主表示用画面を選択するようにしたが、この第２実施例においては、装置本体の現在のスタイルに基づいて主操作用画面、主表示用画面を選択するようにしたものである。
ここで、両実施例において基本的あるいは名称的に同一のものは、同一符号を付して示し、その説明を省略すると共に、以下、第２実施例の特徴部分を中心に説明するものとする。
【００６９】
図１４は、第２実施例において、回転２軸型の携帯電話装置を示した外観図である。
装置本体を構成する２つの筐体１Ａ、１Ｂは、ヒンジ部１Ｃを介して開閉可能に連結されているほか、回転軸（縦軸）を介して回転可能に連結されたもので、装置本体を複数のスタイルに変更可能となっている。図１４（１）は２つの筐体１Ａ、１Ｂを開いたオープンスタイルを示し、（２）はオープンスタイルから筐体１Ａを１８０度回転させたのちに筐体１Ｂに重ねた状態のビュースタイルを示した図である。なお、オープンスタイルにおいて筐体１Ａを筐体１Ｂに重ねた状態がクローズスタイルとなる。
【００７０】
筐体１Ａの内面側には、２つの画面として画面Ａ１及びＡ２が配置されており、筐体１Ｂには画面Ｂが配置されている。なお、筐体１Ａの内面側において画面Ａ１、Ａ２は、上下方向に隣接配置されたもので、画面Ａ１は縦長の大型画面であるのに対し、画面Ａ２はヒンジ部１Ｃの近傍に配置され、画面Ａ１と同一横サイズの横長画面である。そして、各画面Ａ１、Ａ２、Ｂは、上述した第１実施例と同様に、高精細液晶あるいは有機ＥＬを使用した表示パネルで、その上面には操作用の接触センサ（透明タッチセンサ）が積層配置されている。なお、上述した第１実施例では、通話用のスピーカ及びマイクを２つずつ設けるようにしたが、この第２実施例では、それらを１つずつ設けた構成となっている。すなわち、筐体１Ｂの内面側においてヒンジ部１Ｃの近傍には通話用マイクＭを設け、筐体１Ｂの内面側において画面Ａ１の近傍には通話用スピーカＳを設けた構成となっている。
【００７１】
図１５は、第２実施例における携帯電話装置１の基本的な構成要素を示したブロック図である。
この第２実施例の携帯電話装置１は、第１実施例と基本的には同様に、ＣＰＵ１１、ＲＯＭ１２、ＲＡＭ１３、無線通信部１４、音声信号処理部１５、表示・操作制御部１６、ＲＴＣ１７、スタイル検出部１８を有する構成となっている。この場合、ＲＡＭ１３には、表示用情報記憶部Ｍ１のほか、後述する表示制御設定情報記憶部Ｍ２が設けられている。音声信号処理部１５は、通話用マイクＭ、通話用スピーカＳを制御し、表示・操作制御部１６は、画面Ａ１、Ａ２、Ｂに対する表示制御を行う。スタイル検出部１８は、オープンスタイル、ビュースタイルを含めて複数のスタイルを検出する。
【００７２】
図１６は、第２実施例における表示制御設定情報記憶部Ｍ２を説明するための図である。
表示制御設定情報記憶部Ｍ２は、オープンスタイル、ビュースタイル、クローズスタイルに対応して「主表示用画面」、「主操作用画面」をどの画面とするかなどを示す情報を記憶する構成となっている。なお、図示の例では、ビュースタイルでは「主表示用画面」として“画面Ａ１”が設定され、「主操作用画面」として“画面Ａ２”が設定されている場合を示し、オープンスタイルでは「主表示用画面」として“画面Ａ１及びＡ２”が設定され、「主操作用画面」として“画面Ｂ”が設定されている場合を示している。なお、クローズスタイルでは、「主表示用画面」、「主操作用画面」に対応して“表示消去” 設定されている。
【００７３】
図１７は、表示制御設定情報記憶部Ｍ２の設定内容に応じた表示例を示した図である。
図１７（１）はオープンスタイルでの表示例、（２）はビュースタイルでの表示例である。ここで、図１６に示すように、オープンスタイルでは画面Ａ１及びＡ２が主表示用画面となり、画面Ｂが主操作用画面となる。また、ビュースタイルでは画面Ａ１が主表示用画面となり、画面Ａ２が主操作用画面となる。
【００７４】
図１８は、第２実施例において、電源投入に伴って実行開始される携帯電話装置１の全体動作を示したフローチャートである。なお、図１８は、第１実施例で示した図８のフローチャートと基本的に同様であるため、その相違点を中心に説明するものとする。
先ず、ＣＰＵ１１は、電源オン後の待受状態において（ステップＦ１、Ｆ２）、表示制御設定情報記憶部Ｍ２に対する設定操作が行われると、その設定処理に移る（ステップＦ３、Ｆ４）。また、オープンスタイルからクローズスタイルへの変更が検出された際には（ステップＦ５）、表示制御設定情報記憶部Ｍ２の内容に基づいてクローズ処理を実行し、画面Ａ１、Ａ２、Ｂの内容を全て消去する（ステップＦ６）。
【００７５】
また、クローズスタイルからオープンスタイルへの変更、あるいはビュースタイルからオープンスタイルへの変更が検出された場合には（ステップＦ７）、スタイル変更処理に移り（ステップＦ８）、また、オープンスタイルからビュースタイルへの変更が検出された場合にも（ステップＦ９）、スタイル変更処理に移る（ステップＦ１０）。
【００７６】
図１９は、スタイル変更処理（図１８のステップＦ８、Ｆ１０）を詳述するためのフローチャートである。
先ず、ＣＰＵ１１は、スタイル検出部１８からの検出信号を取り込んで現在のスタイルを判別し（ステップＧ１）、このスタイルに基づいて表示制御設定情報記憶部Ｍ２を参照し、現在のスタイルに対応付けられている「設定内容」を読み出すと共に（ステップＧ２）、この「設定内容」に従って主操作用画面を選択する（ステップＧ３）。そして、ＲＯＭ１２のデータ領域から操作用情報（キー名やキーの位置情報）を読み出し（ステップＧ４）、この操作用情報を主操作用画面内に表示させることで当該画面内に各キーを割り当て配置させる（ステップＧ５）。例えば、図１７（１）に示すオープンスタイルでは、画面Ｂが主操作用画面となり、図１７（２）に示すビュースタイルでは画面Ａ２が主操作用画面となる。
【００７７】
次に、スタイル対応の「設定内容」に従って主表示用画面を選択したのち（ステップＧ６）。ＲＯＭ１２、ＲＡＭ１３又は外部から表示用情報（待受画像など）を取得し（ステップＧ７）、この表示用情報を主表示用画面内に表示させる（ステップＧ８）。例えば、図１７（１）に示すオープンスタイルでは、画面Ａ１及びＡ２が主表示用画面となり、図１７（２）に示すビュースタイルでは画面Ａ１が主表示用画面となる。このようにして各画面Ａ１、Ａ２、Ｂへの表示処理が終わると、操作用情報に応じて画面Ａ１、Ａ２、Ｂ内に割り当てられた各タッチキーへの接触を有効とする（ステップＧ９）。
【００７８】
なお、待受状態においてＣＰＵ１１は、発信操作が行われた場合には（図１８のステップＦ１１でＹＥＳ）、発信元と発信先と間の接続確立に応じて通話可能な状態にセットする通話処理に移り（ステップＦ１２）、また、着信を検出した場合にも（ステップＦ１３でＹＥＳ）、この通話処理に移る（ステップＦ１４）。また、電源オフ操作が行われた場合には（ステップＦ１５でＹＥＳ）、電源オフ処理に移るが（ステップＦ１６）、その他の操作が行われた場合には（ステップＦ１７でＹＥＳ）、この操作に対応した処理として、例えば、電子メールの送受信処理などを行う（ステップＦ１８）。
【００７９】
以上のように、この第２実施例においてＣＰＵ１１は、スタイル検出部１８からの検出信号を取り込んで現在のスタイルを判別し、このスタイルに基づいて表示制御設定情報記憶部Ｍ２を参照し、現在のスタイルに対応付けられている「設定内容」に基づいて主操作用画面と主表示用画面とを選択するようにしたので、スタイルに適した主操作用画面、主表示用画面となり、見易く、操作し易くすることができ、使い勝手が良くなって自由度を増すことが可能となる。
【００８０】
この場合、スタイルが変化した際に、主操作用画面に操作用の情報を表示させ、主表示用画面にユーザに報知する情報を表示させるための表示制御を行うようにしたので、適切なタイミングでの表示制御が可能となり、スタイル変化に応じて画面Ａ１、Ａ２、Ｂを主操作用画面あるいは主表示用画面として使用することができる。
【００８１】
なお、上述した各実施例においては、折り畳み型及び回転２軸型の携帯電話装置を示したが、リボルバー型、スライド型など他の筐体のタイプの携帯電話装置であってもよく、また、オープンスタイル、ビュースタイルに限らず、筐体のタイプに応じたスタイルであってもよい。
【００８２】
上述した各実施例においては、携帯電話装置に適用した場合を示したが、例えば、ＰＤＡ、パーソナルコンピュータ、デジタルカメラ、ゲーム機、電子腕時計、音楽再生機など、複数の画面を有する電子機器であれば、同様に適用可能である。
【図面の簡単な説明】
【００８３】
【図１】電子機器として適用した携帯電話装置における通信ネットワークシステムを示したブロック図。
【図２】携帯電話装置１の概略外観図。
【図３】装置本体の姿勢に応じて画面Ａ、Ｂのいずれが主操作用画面となり、他の画面が主表示用画面となる場合を説明するための図で、装置本体を開いた状態において画面Ａ、Ｂが縦方向（上下方向）に配列されている場合を示した図。
【図４】装置本体の姿勢に応じて画面Ａ、Ｂのいずれが主操作用画面となり、他の画面が主表示用画面となる場合を説明するための図で、装置本体を開いた状態において画面Ａ、Ｂが横方向（左右方向）に配列されている場合を示した図。
【図５】携帯電話装置１の基本的な構成要素を示したブロック図。
【図６】表示制御設定情報記憶部Ｍ２を説明するための図。
【図７】タッチによる表示制御設定情報記憶部Ｍ３を説明するための図。
【図８】電源投入に伴って実行開始される携帯電話装置１の全体動作の概要を示したフローチャート。
【図９】オープン処理（図８のステップＡ８）を詳述するためのフローチャート。
【図１０】姿勢変化処理（図８のステップＡ１０）を詳述するためのフローチャート。
【図１１】画面タッチ処理（図８ステップＡ１２）を詳述するためのフローチャート。
【図１２】通話処理（図８のステップＡ１４、Ａ１６）を詳述するためのフローチャート。
【図１３】第１実施例の変形応用例を説明するための図で、ユーザ本人と相手とが携帯電話装置１を挟んで対面している場合に、（１）は本人が画面を見るために画面を本人に向けた状態、（２）は相手に画面を見せるために画面を相手に向けた状態を示した図。
【図１４】第２実施例において、回転２軸型の携帯電話装置を示した外観図。
【図１５】第２実施例における携帯電話装置１の基本的な構成要素を示したブロック図。
【図１６】第２実施例における表示制御設定情報記憶部Ｍ２を説明するための図。
【図１７】表示制御設定情報記憶部Ｍ２の設定内容に応じた表示例を示した図。
【図１８】第２実施例において、電源投入に伴って実行開始される携帯電話装置１の全体動作を示したフローチャート。
【図１９】第２実施例において、スタイル変更処理（図１８のステップＦ８、Ｆ１０）を詳述するためのフローチャート。
【符号の説明】
【００８４】
１  携帯電話装置
１Ａ、１Ｂ  筐体
１１  ＣＰＵ
１２  ＲＯＭ
１３  ＲＡＭ
１４  無線通信部
１５  音声信号処理部
１６  表示・操作制御部
１８  スタイル検出部
１９  姿勢検出部
Ａ、Ａ１、Ａ２、Ｂ  画面
Ｄ  表示パネル
Ｔ  透明タッチセンサ
ＭＡ、ＭＢ、Ｍ  通話用マイク
ＳＡ、ＳＢ、Ｓ  通話用スピーカ
Ｍ１  表示用情報記憶部
Ｍ２  表示制御設定情報記憶部
Ｍ３  タッチによる表示制御設定情報記憶部
【図１】
0005140867.tif 000002
【図２】
0005140867.tif 000003
【図３】
0005140867.tif 000004
【図４】
0005140867.tif 000005
【図５】
0005140867.tif 000006
【図６】
0005140867.tif 000007
【図７】
0005140867.tif 000008
【図８】
0005140867.tif 000009
【図９】
0005140867.tif 000010
【図１０】
0005140867.tif 000011
【図１１】
0005140867.tif 000012
【図１２】
0005140867.tif 000013
【図１３】
0005140867.tif 000014
【図１４】
0005140867.tif 000015
【図１５】
0005140867.tif 000016
【図１６】
0005140867.tif 000017
【図１７】
0005140867.tif 000018
【図１８】
0005140867.tif 000019
【図１９】
0005140867.tif 000020